(57)【要約】  【課題】  本発明の課題は、腰ベルトに取り付けて吊り下げた携帯電話機用ケースから携帯電話機をスムーズに取り出すことができる携帯電話機用ケースを提供することである。【解決手段】  本発明は、携帯電話機を収納する収納ケース本体と、収納ケース本体を被服の腰ベルトに着脱自在に取り付ける取り付け部とからなり、収納ケース本体を腰ベルトに対して垂直な方向から傾斜させた状態で取り付け部に保持したことを特徴とする携帯電話機用ケースである。【選択図】        図１
2005177110.tif 000002
【特許請求の範囲】
【請求項１】
携帯電話機を収納する収納ケース本体と、収納ケース本体を被服の腰ベルトに着脱自在に取り付ける取り付け部とからなり、収納ケース本体を腰ベルトに対して垂直な方向から傾斜させた状態で取り付け部に保持したことを特徴とする携帯電話機用ケース。
【請求項２】
取り付け部を、正面部材と背面部材とが対向する相互面によって形成される腰ベルト挿通孔としたことを特徴とする請求項１記載の携帯電話機用ケース。
【請求項３】
収納ケース本体の下部が、取り付け部の下端部より突出しないことを特徴とする請求項１または２記載の携帯電話機用ケース。
【発明の詳細な説明】
【技術分野】
【０００１】
本発明は、腰に装着する携帯電話機用ケースに関するものである。
【背景技術】
【０００２】
腰に装着する携帯電話機用ケースに関して、従来、腰ベルトに吊り下げて使用する携帯電話機用ケースが存在する（例えば、特許文献１参照）。これは、図９ないし図１０に示すように、携帯電話機を収納するケース本体４に蓋部４１を設け、蓋部４１の自由端をケース本体４の背面に着脱自在にスナップボタン４２、４２で止めたものであり、蓋部４１とケース本体４の背面との間に腰ベルト５を通してケース本体４を腰ベルト５に取り付けて吊り下げるものである。
【特許文献１】特開平９−５６４３９号公報
【発明の開示】
【発明が解決しようとする課題】
【０００３】
しかし、このような携帯電話機用ケースは、ケース本体４が腰ベルト５に対して垂直な方向を向いた状態で保持されていることから、携帯電話機が垂直な方向を向いた状態で収納されているため、携帯電話機を取り出すには垂直方向に向けて取り出す必要があり、使用者の手の動きとの関係において、スムーズに取り出しにくいと感じられることがある。
【０００４】
また、ケース本体４が垂直な方向を向いた状態で保持されていると、この携帯電話機用ケースを吊り下げて歩行する時や着座した時に、ケース本体４が下腹部や太股部に頻繁に接触するために煩わしく感じられる。
【０００５】
そこで、本発明の課題は、腰ベルトに取り付けて吊り下げる携帯電話機用ケースから携帯電話機をスムーズに取り出すことができる携帯電話機用ケースを提供することである。
【０００６】
また、本発明の課題は、歩行中や着座時に邪魔にならない携帯電話機用ケースを提供することである。
【課題を解決するための手段】
【０００７】
本発明は、携帯電話機を収納する収納ケース本体と、収納ケース本体を被服の腰ベルトに着脱自在に取り付ける取り付け部とからなり、収納ケース本体を腰ベルトに対して垂直な方向から傾斜させた状態で取り付け部に保持したことを特徴とする携帯電話機用ケースである。
【０００８】
このような携帯電話機用ケースであれば、収納ケース本体に携帯電話機が傾斜した状態で収納されるので、収納ケース本体から携帯電話機をスムーズに取り出すことができる。また、歩行中や着座時に、収納ケース本体が下腹部や太股部に接触する頻度が低減するため邪魔にならない。
【０００９】
また、携帯電話機を取り出そうとして収納ケース本体に不用意な力がかかった場合でも、携帯電話機用ケースが腰ベルトから外れて落下する危険性をほとんど無くするためには、取り付け部を、正面部材と背面部材とが対向する相互面によって形成される腰ベルト挿通孔とすることが好ましい。
【００１０】
さらに、歩行中や着座時に、収納ケース本体が下腹部や太股部に接触する頻度をより低減するためには、収納ケース本体の下部が、取り付け部の下端部より突出しないようにすることが好ましい。
【発明の効果】
【００１１】
本発明は、上述のような構成としたことで、腰ベルトに取り付けて吊り下げる携帯電話機用ケースであっても、携帯電話機をスムーズに取り出すことができる。
【００１２】
また、上述のような構成としたことで、腰ベルトに取り付けて吊り下げる携帯電話機用ケースであっても、収納ケース本体が歩行中や着座時に下腹部や太股部に接触する頻度が低減するため邪魔にならない。
【００１３】
また、上述のような構成としたことで、携帯電話機を取り出そうとして収納ケース本体に不用意な力がかかった場合でも、携帯電話機用ケースが腰ベルトから外れて落下する危険性がほとんど無い。
【発明を実施するための最良の形態】
【００１４】
以下、本発明を実施するための最良の形態を、実施例として示す各図と共に説明する。図１ないし図８は本発明の携帯電話機用ケースの実施例である。
尚、図９ないし図１０は、従来の携帯電話機用ケースである。
【実施例】
【００１５】
本発明の実施例に係る携帯電話機用ケースについて、図１に斜視図、図２に使用状態を示す正面図、図３に背面図、図４に平面図、図５に底面図、図６に右側面、図７に左側面図をそれぞれ示す。図８は使用状態を示す斜視図である。
【００１６】
本実施例に係る携帯電話機用ケースは、図１から図８に示すように、携帯電話機を収納する収納ケース本体１と、収納ケース本体１を腰ベルト３に取り付ける取り付け部２とを具備する。
【００１７】
収納ケース本体１は、正面１１、背面１２、底面１３及び両側面１４、１４からなる略長方形の箱型であり、上部には携帯電話機を出し入れするための開口１５と、この開口１５を覆う蓋１６が設けられている。
【００１８】
開口１５を覆う蓋１６の一端は収納ケース本体１の背面１２に固定され、他端には面ファスナ１７が設けられている。蓋１６の他端に設けられた面ファスナ１７は、収納ケース本体１の正面１１に設けられた面ファスナ１８に対して着脱自在に取り付けられている。この蓋１６の他端を着脱することで開口１５を開閉するが、収納ケース本体１の正面１１に設けられた面ファスナ１８は、蓋１６の面ファスナ１７より大きい面積のものを用いている。このようなものであると、開口１５を閉じる場合に面ファスナ１７と面ファスナ１８の位置合わせが容易になる。
【００１９】
取り付け部２は、正面部材２１と背面部材２２とが対向する相互面によって形成される腰ベルト挿通孔２３で構成されている。この腰ベルト挿通孔２３は、略四角形の素材を略中央で折り曲げ、折り曲げた際に対向する正面部材２１と背面部材２２の端辺同士を縫合して形成されている。このような取り付け部２であると、携帯電話機を取り出そうとして収納ケース本体１に不用意な力がかかった場合でも携帯電話機用ケースが腰ベルト３から外れて落下する危険性がほとんど無い。
【００２０】
収納ケース本体１は取り付け部２に縫合して固定されているが、収納ケース本体１を腰ベルト３に対して垂直な方向から傾斜させて保持するべく、図２に示すとおり、収納ケース本体１は、収納ケース本体１の底面１３から開口１５へ向けて貫く軸線Ａ―Ａ´が、腰ベルト３に対して垂直な軸線Ｂ―Ｂ´に対して傾斜した状態で取り付け部２に固定されている。腰ベルト３に対して垂直な軸線Ｂ―Ｂ´から傾斜するように収納ケース本体１を取り付け部２に固定しているため、収納ケース本体１に収納された携帯電話機は傾斜した状態になる。このようなものであると、収納ケース本体１から携帯電話機をスムーズに取り出すことができる。また、収納ケース本体１の上部は取り付け部２の上方へ突出し、収納ケース本体１の下部は取り付け部２の下端部より下方へ突出していない。このようなものであると、歩行中や着座時に収納ケース本体１が下腹部や太股部に接触する頻度を低減できるので好ましい。
【００２１】
なお、上述の携帯電話機用ケースの材質は合成皮革であり、合成皮革を所望の形状に裁断した後、適宜縫合して製造する。
【００２２】
上述した構成の携帯電話機用ケースは図８のように使用する。
【００２３】
まず、取り付け部２の腰ベルト挿通孔２３に腰ベルト３を挿通した後、この腰ベルト３を腰に回して装着する。第８図に示すとおり、携帯電話機を収納した収納ケース本体１が腰ベルト３に対して垂直な方向から傾斜しているため、携帯電話機が傾斜した状態で収納され、携帯電話機をスムーズに取り出すことができる。
【００２４】
また、歩行中や着座時に、収納ケース本体１が下腹部や太股部に接触する頻度が低減するため邪魔にならない。
【００２５】
また、正面部材２１と背面部材２２とが対向する相互面によって形成される腰ベルト挿通孔２３に腰ベルト３が挿通されていることから、収納ケース本体１に不用意な力がかかった場合でも携帯電話機用ケースが落下する危険性がほとんどない。
【００２６】
その他、各部の具体的な構成は上述した実施例に限定されるものでなく、本発明の趣旨を逸脱しない範囲で種々の変形が可能である。
【００２７】
本発明の収納ケース本体の形状は、上述の形状に限らず、収納する携帯電話機の形状に応じて変更するものである。
【００２８】
また、収納ケース本体は上述の合成皮革の他、皮革、綿などの天然素材でも成形されるものであり、材質を変形容易なものとしておけば各種形状の携帯電話機を収納することができる。
【００２９】
取り付け部は、上述の構成に限らず、より簡易な構造を採用することができる。例えば、収納ケース本体の背面に、下方開口の断面コ字形状による係止片を設ければ、この開口に腰ベルトを差し込んで収納ケース本体を腰ベルトに取り付けることができる。
【００３０】
また、図８は右手を使用して取り出す場合の構成を示しているが、使用者の利き腕に合わせて左右逆向きの構成を採用することが可能である。
【００３１】
また、図８での携帯電話機用ケースの傾斜方向は内向きであるが、使用者の好みによっては外向きに傾斜するように構成しても良い。
【図面の簡単な説明】
【００３２】
【図１】本発明の実施例を示す斜視図である。
【図２】本発明の実施例の使用状態を示す正面図である。
【図３】本発明の実施例を示す背面図である。
【図４】本発明の実施例を示す平面図である。
【図５】本発明の実施例を示す底面図である。
【図６】本発明の実施例を示す右側面図である。
【図７】本発明の実施例を示す左側面図である。
【図８】本発明の実施例の使用状態を示す斜視図である。
【図９】従来の携帯電話機用ケースを示す図である。
【図１０】従来の携帯電話機用ケースの使用状態を示す図である。
【符号の説明】
【００３３】
１  収納ケース本体
１１  正面
１２  背面
１３  底面
１４  両側面
１５  開口
１６  蓋
１７  面ファスナ
１８  面ファスナ
２  取り付け部
２１  正面部材
２２  背面部材
２３  腰ベルト挿通孔
３  腰ベルト
【図１】
2005177110.tif 000003
【図２】
2005177110.tif 000004
【図３】
2005177110.tif 000005
【図４】
2005177110.tif 000006
【図５】
2005177110.tif 000007
【図６】
2005177110.tif 000008
【図７】
2005177110.tif 000009
【図８】
2005177110.tif 000010
【図９】
2005177110.tif 000011
【図１０】
2005177110.tif 000012